(57)【特許請求の範囲】
【請求項１】
締め付け要素（１）の締め付けバンドの締め付け頭に回転しないように取り付けられる弾性ブラケット（７）と、
多角形ねじナット（６）と、
前記多角形ねじナット（６）と相互作用可能な締め付けねじ（５）と、
を含み、
前記ねじナット（６）は、前記弾性ブラケット（７）の中で回転しないように保持され、
前記弾性ブラケットは、前記締め付けねじが前記多角形ねじナットと螺合することが可能であるように、所望の範囲内での動きが許容されるように、前記締め付け頭と噛み合う、
張力クランプとして形成される締め付け要素（１）であって、
前記弾性ブラケット（７）はＵ字形に形成され、底部（１０）と２つの脚（８、９）を有し、
前記脚（８、９）はそれぞれ内側に向いた第１の段（１１、１２）を有し、前記ねじナット（６）は前記底部（１０）と前記第１の段（１１、１２）の間に保持され、
前記脚（８、９）はそれぞれ外側に向いた第２の段（１６、１７）を有し、固定溝（１８、１９）は、前記脚（８、９）の外側で前記第１の段（１１、１２）と前記第２の段（１６、１７）の間に形成され、
少なくとも１つのねじ山が前記脚（８、９）の内側、前記固定溝（１８、１９）の領域内で形作られる、締め付け要素。
【請求項２】
締め付け要素（１）の締め付けバンドの締め付け頭に回転しないように取り付けられる弾性ブラケット（７）と、
多角形ねじナット（６）と、
前記多角形ねじナット（６）と相互作用可能な締め付けねじ（５）と、
を含み、
前記ねじナット（６）は、前記弾性ブラケット（７）の中で回転しないように保持され、
前記弾性ブラケットは、前記締め付けねじが前記多角形ねじナットと螺合することが可能であるように、所望の範囲内での動きが許容されるように、前記締め付け頭と噛み合う、
張力クランプとして形成される締め付け要素（１）であって、
前記弾性ブラケット（７）はＵ字形に形成され、底部（１０）と２つの脚（８、９）を有し、
前記脚（８、９）の自由端（２９、３０）は互いに向かって曲げられ、前記締め付けねじ（５）のねじ山と噛み合うことができる、締め付け要素。
【請求項３】
前記脚（８、９）はそれぞれ内側に向いた第１の段（１１、１２）を有し、前記ねじナット（６）は前記底部（１０）と前記第１の段（１１、１２）の間に保持される請求項２に記載の締め付け要素。
【請求項４】
少なくとも２つの保持ツメ（１３、１４）が、前記底部の異なった側で前記底部（１０）から伸び、前記ねじナット（６）を横方向に保持する請求項１から３のいずれかに記載の締め付け要素。
【請求項５】
前記弾性ブラケットを前記締め付け頭に固定するために使用される固定ツメ（２６、２７、２８、２８’）が前記脚（８、９）の上に提供される請求項１から４のいずれかに記載の締め付け要素。
【請求項６】
前記固定ツメ（２６、２７、２８、２８’）は前記脚（８、９）とひとつなぎに実装される請求項５に記載の締め付け要素。
【請求項７】
前記保持ツメ（１３、１４）と前記脚（８、９）との間に隙間が形成されていて、該保持ツメは該脚から離れている請求項４に記載の締め付け要素。
【発明の詳細な説明】
【技術分野】
【０００１】
本発明は、締め付け要素に関し、特に多角形ねじナットと相互作用する締め付けねじを有する張力クランプに関する。
【背景技術】
【０００２】
この型の締め付け要素は例えば半径方向の締め付け力の適用によって、パイプ接続上にパイプまたは線を保持するために使用される。締め付け要素は、ねじナットの中にねじ込まれる締め付けねじを締めることによって縮小される。
【０００３】
張力クランプの場合、例えば、外形クランプのように、ねじナットと締め付けねじは、クランプのそれぞれ１つの締め付け頭の上で支えられる。張力クランプの半径は締め付けねじの締め付けの間減少するため、ねじナットと締め付けねじ間の角度位置は変化する。したがって、必要な作動する力は増加する。
【発明の概要】
【発明が解決しようとする課題】
【０００４】
旋回可能なようにねじナットおよび／または締め付けねじを取り付けることは知られている。しかしながら、この型の取り付けは比較的複雑でコストが大きい。
【課題を解決するための手段】
【０００５】
本発明の実施形態は、簡単に設計された締め付け要素に向いている。特に締め付け要素上のねじナットの取り付けが簡単な手法で達成される。締め付け要素は例えば張力クランプとして形成される。
【０００６】
本発明の好ましい実施形態の中で、ねじナットは、締め付け要素を固定するための弾性ブラケット内での回転に対して安全に保持される。
【０００７】
弾性ブラケットの製造は、例えば金属のような対応する金属片を形作ることによって比較的簡単に実行できる。弾性ブラケットの使用により、動きから比較的自由な取り付けが得られ、同時に外部の力の動作の間、いくらか弾力性があり、この結果、ねじナットと締め付けねじ間の角度補償は困難なしに実行される。弾性ブラケットは締め付け要素とねじナットと異なった材料から作ることができる。弾性ブラケットと締め付け要素間の固定接続はほとんど任意の材料の組み合わせを許す。
【０００８】
弾性ブラケットが本質的にＵ字形に実装または形成され、および底部と２つの脚を有することは好ましい。弾性ブラケットのこの型の実施形態は比較的簡単に製造される。ねじナットは２つの脚によって回転に対して安全である。ねじナットは正面で底部を支える。同時に弾性ブラケットは脚を介して締め付け要素上に保持される。脚は例えば弾性的な保持力を生成する。
【０００９】
好ましくは、脚はそれぞれ内側に向いている第１の段を有し、ねじナットは底部と第１の段の間に保持される。したがって、ねじナットは積極的に弾性ブラケットの中に保持される。ねじがねじナットの中にねじ込まれる間に発生する力は弾性ブラケットによって吸収される。それにより、わずかな動きが弾性ブラケットと締め付け要素の間に可能になる。これは組み立ての間締め付けねじの締め付けを可能とするために使用される。
【００１０】
好ましくは、すくなくとも２つの保持ツメが、それぞれ１つの側上で底部から伸び、ねじナットを横方向に保持する。したがって、ねじナットは、ねじ込む方向と横方向に走る方向で、弾性保持器から分離されない。実際、ねじナットは、言わば、弾性ブラケットの形にされるまたは弾性ブラケット内に挟まれ、損失に対して安全に保持される。保持ツメは、脚に加えて可能な発生するトルクを吸収することができる。これらは同様にねじナットによる回転を妨げるために使用される。より高いトルクがこれによって吸収されることができる。
【００１１】
脚がそれぞれ外側に向いている第２の段を有することは効果がある。固定溝が、脚の外側上、第１の段と第２の段との間に実装または形成される。この固定溝は、締め付け要素の開口の対応的に実装または形成された縁と相互作用する。この結果弾性ブラケットとねじナットは締め付け要素上の損失に対して安全に保持される。固定溝は、ねじナットを有する弾性ブラケットの旋回行動が許される伸長を有する。弾性ブラケットは旋回可能なように締め付け要素と噛み合う。
【００１２】
すくなくとも１つのねじ山が、脚の内部上固定溝の領域内に形作られることは特に好ましい。このねじ山は比較的簡単な手法、例えば形成された金属片のように実装または形成される。この型のねじ山は、締め付けねじを組み立て済みにするため使用される。締め付けねじのねじナットへの挿入はこれによって簡単化される。実施形態の中で締め付けねじは、締め付け要素の組み立ての前に、固定溝の領域中のねじ山の中にすでに挿入されることができ、したがって、損失に対して安全に保持される。
【００１３】
他の好ましい実施形態の中で、脚の自由端はお互いに向かって曲げられる。端は、締め付けねじのねじ山と噛み合いを選択的に持ち込むことができる。この目的のため、自由端は、実装または形成される。すなわち、平らにおよびまたは湾曲とともに提供される。内側に曲がった脚の自由端で、締め付けねじの案内が起こり、この結果、これはねじナットの中により簡単に挿入されることができる。もし、端が締め付けねじのねじ山との噛み合わせを持ち込まれていた場合、締め付けねじの事前の位置あわせが締め付けねじの損失に対して安全に実行される。追加の要素は必要としない。代わりに事前の位置あわせが、すでに表した非常に簡単な手段で実行される。
【００１４】
好ましくは、固定ツメは、脚上に提供され、特に脚とひとつなぎで実装または形成される。固定ツメは、締め付け要素で弾性ブラケットを固定するために使用され、突然に弾性ブラケットが落ちることを妨げる。ひとつなぎの実施形態の場合、固定ツメは簡単な押し出しおよび曲げによって製造することができる。製造費用は低いままである。固定ツメの適切な弾性は、弾性ブラケットの対応する壁の厚さの選択によって確実にされ、この結果、簡単な組み立てが達成される。
【００１５】
好ましくは、開いた縁は保持ツメと脚の間に実装または形成される。この型の開いた縁は弾性ブラケットを製造するための形成動作を容易にし、比較的大きな許容範囲で製造を可能にする。ねじナットの縁は簡単に弾性ブラケットの開いた縁の領域内に位置することができるため、この結果、不必要な力が除かれる。
【００１６】
本発明の実施形態は、締め付け要素に固定される弾性ブラケット、多角形ねじナット、および多角形ねじナットと相互作用可能な締め付けねじを含む締め付け要素に向いている。ねじナットは、弾性ブラケット内で回転に対して安全に保持される。
【００１７】
実施形態によれば、締め付け要素は張力クランプとして形成されることができる。さらに、弾性ブラケットは底部と２つの脚を有するＵ字形に実装されることができる。脚はそれぞれ内側に向いた第１の段を有し、ねじナットは底部と第１の段の間に保持される。少なくとも２つの保持ツメが、底部の異なった側で底部から伸び、ねじナットを横方向に保持する。さらに、脚はそれぞれ外側に向いた第２の段を有し、固定溝は、脚の外側で第１の段と第２の段の間に実装される。少なくとも１つのねじ山が脚の内側固定溝の領域内で形作られる。
【００１８】
他の実施形態によれば、脚の自由端はお互いに向かって曲げられ、締め付けねじのねじ山と噛み合うことができる。
【００１９】
本発明のさらなる他の実施形態によれば、固定ツメが脚の上に提供される。固定ツメは脚とひとつなぎに実装される。
【００２０】
さらなる実施形態によれば、開いた縁は保持ツメと脚の間に実装される。
【００２１】
本発明の実施形態は締め付け要素を形成するための方法に向いている。方法は弾性ブラケット内に多角形ねじナットを置くこと、および締め付け要素に弾性ブラケットを固定することを含む。
【００２２】
実施形態によれば、締め付け要素は張力クランプとして形成される。
【００２３】
本発明の他の実施形態によれば、方法は、ねじナットを弾性ブラケットの中で、回転に対して動かないようにすることを含む。
【００２４】
さらに弾性ブラケットは脚を含み、方法は締め付け要素の開口の中に弾性ブラケットの脚を挿入することをさらに含む。
【００２５】
弾性ブラケットは脚を含み、方法は脚の外側で締め付け要素の開口を噛み合わせることも含む。
【００２６】
本発明の実施形態は、締め付け頭を有する締め付けバンド、締め付け頭の１つに取り付けられた弾性ブラケット、および弾性ブラケットの中で回転に対してしっかりと保持される多角形ねじナットを含む張力クランプに向いている。
【００２７】
さらに、締め付け頭は少なくとも１つの凹部を含み、弾性ブラケットは少なくとも１つの凹部と噛み合って配置される。
【００２８】
本発明の他の実施形態によれば、締め付けねじはねじナットと相互作用する。
【００２９】
本発明のさらなる他の実施形態によれば、弾性ブラケットは、多角形ねじナットを保持するために配置された少なくとも２つの脚を含む。
【００３０】
他の例示的実施形態と本発明の効果は、本開示と添付の図によって確かめられる。
【００３１】
本発明は、本発明の例示的実施形態の非制限例により、複数の図を参照することによって、以下の詳細な記述により記載される。図の中のいくつかを通して同じ参照番号は同じ部分を表す。
【図面の簡単な説明】
【００３２】
【図１】締め付け要素を示す。
【図２】３次元図での第１の実施形態の弾性ブラケットを示す。
【図３】断面図での図２の弾性ブラケットを示す。
【図４】他の視点からの図２および図３の弾性ブラケットを示す。
【図５】３次元表現での第２の実施形態の弾性ブラケットを示す。
【図６】断面表現での図５の弾性ブラケットを示す。
【図７】他の視点からの図５および図６の弾性ブラケットを示す。
【発明を実施するための形態】
【００３３】
ここで、詳細は例示の方法で示され、本発明の実施形態の図示的議論の目的のためのみに、本発明の原理と概念的な面をすぐに理解でき、最も効果的と信じられることを提供するために表される。このことについて、本発明の基本的理解のために必要なもの以上に、本発明のいくつかの形状が実際にどのように実装され、形成されるかを当業者に明らかにさせる、図を伴った記載以上に、本発明の構造的詳細を開示することを意図していない。
【００３４】
図１は、外形クランプとして、好ましくは張力クランプとして実装または形成された締め付け要素１を示す。締め付け要素１は、締め付け頭３、４をその端上に提供する締め付けバンド２を有する。外形クランプを締め付けるために提供される締め付けねじ５は、ねじナット６と相互作用する。ねじナット６は弾性ブラケット７の中で回転に対して安全に保持される。弾性ブラケット７は締め付け頭４上で締め付け要素１と噛み合う。
【００３５】
この例の中で、ねじナット６は４角形ナットとして実装または形成される。しかしながら、例えば、６角形ナットを使用することもあり得る。
【００３６】
第１の実施形態による弾性ブラケット７の実施形態は図２に示される。弾性ブラケット７は２つの脚８、９と底部１０を有する本質的にＵ字型に実装または形成される。ねじナット６は底部１０の内部で支える。このねじナットは同様に４角形ナットとして、実装または形成される。脚８、９は、内部に向かった第１の段１１、１２を有し、ねじナット６はそれぞれの第１の段１１、１２と底部１０の間で保持される。脚８、９は同時にねじナット６を横方向に支え、この結果回転に対する固定がこれによってすでに提供される。
【００３７】
さらに保持ツメ１３、１４が提供され、底部１０から伸び、垂直に上方に曲げられる。この結果ねじナット６の回転に対するさらなる固定が起こる。同時に、ねじナット６は、締め付けねじ５の締め付け方向と垂直な平面の中で、積極的に保持される。ねじナット６は、損失に対して安全な弾性ブラケット７の中に保持される。
【００３８】
脚８、９はそれぞれ、外側に向いた第２の段１６、１７を有する。固定溝１８、１９は、第１の段１１、１２と第２の段１６、１７の間にそれぞれ実装または形成される。
【００３９】
図３に示されるように、弾性ブラケット７は、締め付け頭４の中の対応する開口２０の中に挿入され、そこに固定され、開口２０の縁は固定溝１８、１９の範囲内に位置される。第１の段１１、１２と第２の段１６、１７間の距離は締め付け頭４の材料の厚さよりも大きい。この結果、望ましい範囲内での弾性ブラケット７の旋回が可能になる。
【００４０】
これにより、締め付けねじ５に対してねじナット６を角度の単位で配列することも可能である。
【００４１】
弾性ブラケット７の底部１０は中心開口２１が提供され、これにより締め付けねじ５を導くことが可能である。締め付けねじの移動距離は、したがって弾性ブラケット７によって制限されない。
【００４２】
固定溝１８、１９の範囲内で脚８、９はそれぞれ、これらの内部に締め付けねじ５と相互作用する少なくとも１つのねじ山を有している。締め付けねじ５の事前組み立てがこれによって可能になる。なめらかな手法で脚８、９の内部を実装または形成することもあり得る。締め付けねじ５の滑り案内は内部を介して起こり、この結果締め付けねじ５のねじナット６の中への挿入は比較的簡単に可能になる。
【００４３】
図４は、図２と異なった視点からの３次元表現でねじナット６を有する弾性ブラケット７を示す。弾性ブラケット７の縁２２、２３、２４、２５が、ねじナット６の角または縁が突き出る開いた縁として実装または形成されていることが認識できる。弾性ブラケット７は、これによって比較的高い許容範囲で製造を可能にし、曲げ工程によって簡単な製造が可能になる。
【００４４】
脚８、９と保持ツメ１３、１４は、底部１０とひとつなぎで実装または形成される。
【００４５】
図５は第２の実施形態の弾性ブラケット７を示し、同じ部分は対応する参照番号が与えられる。図２から図４までの実施形態に従う弾性ブラケット７と同様に、図５の弾性ブラケット７は底部１０から伸びる２つの脚８、９を有し、その結果、弾性ブラケット７は本質的にＵ字形に実装または形成される。さらに、保持ツメ１３、１４が提供される。脚８、９は内側に向かった第１の段１１、１２を有する。ねじナット６は、脚８、９と保持ツメ１３、１４の間と同様に、第１の段１１、１２と底部１０の間に積極的に保持され、損失に対して安全になる。
【００４６】
脚８、９は内側に向いた固定ツメ２６、２７、２８、２８’を提供され、これらは締め付け要素１または締め付け頭４に弾性ブラケット７を固定するために使用される。脚８、９の自由端２９、３０はお互いに向かって曲げられ、これらが締め付けねじのねじ山と噛み合うことになるように実装または形成される。締め付けねじの比較的簡単な事前位置あわせがこれにより可能になる。この実施形態は図６に示される。
【００４７】
図７は、異なった視点からの３次元表現での図６と図５による弾性ブラケット７を示す。この実施形態の弾性ブラケット７も開いた縁２２、２３、２４、２５を有する。
【００４８】
図５から図７の実施形態に示された固定ツメ２６、２７、２８、２８’は、図２から図４による実施形態で使用されることもできる。
【００４９】
例えば、６角形ナットとしたねじナット７の実施形態で、さらなる保持ツメ１３、１４が提供され、保持ツメ１３、１４間に縁２２、２３、２４、２５が開いた形に実装または形成される。
【００５０】
弾性ブラケット７を有する本発明に従う締め付け要素１の実施形態を通して、４角形または６角形ナットの業界標準のねじナット６を使用することができる。これらのねじナット６は弾性ブラケット７の中に挟まれ、回転に対して固定される。これらは正に保持され、損失に対して安全である。脚８、９を有する弾性ブラケット７の実施形態により、弾性ブラケット７は、例えば外形クランプまたは他の張力クランプ１の締め付け頭４の中に留められる。弾性ブラケット７の対応する旋回動作でさえ、これによって達成することができ、比較的簡単な組立、特にねじナット６の中に締め付けねじ５の簡単な挿入が可能になる。ねじナット６による噛み合いが来る前に、締め付けねじ５の案内が大きい費用なしで可能になる。これにより、締め付けねじ５の事前の固定が発生する。簡単な事前組立が可能になる。固定接続が弾性ブラケット７と締め付け要素１の間に起こるのみであるため、様々な材料がお互いに連結されることができる。特に、締め付け要素１と同じ材料で弾性ブラケット７を製造する必要性がない。
【００５１】
全体で、締め付け要素１上のねじナット６の比較的簡単な支持が可能になり、同時に一定の狂いを許し、その結果締め付けねじ５の簡単な締め付けが確実にされる。
【００５２】
上記の例は、単に例示の目的のために提示されたものであり、本発明の制限として構成されるものではないことに注意すべきである。本発明は例示的な実施形態を参照し記載されたが、ここで用いられた言葉は、制限の言葉ではなく、記載と例示の言葉と理解すべきである。添付の請求項の範囲内で、本発明の範囲と概念から、その態様を逸脱することなく、ここで述べられたようにおよび補正によって、変形は可能である。本発明は、特定の手段、材料および形態に関して、ここで記載されたが、本発明は、ここで開示された特別なものに制限されない。むしろ、本発明は、添付された請求項の範囲内で機能的に同等な構成、方法および用途に拡張される。
【符号の説明】
【００５３】
１ 締め付け要素
２ 締め付けバンド
３、４ 締め付け頭
５ 締め付けねじ
６ ねじナット
７ 弾性ブラケット
８、９ 脚
１０ 底部
１１、１２ 第１の段
１３、１４ 保持ツメ
１６、１７ 第２の段
１８、１９ 固定溝
２０ 開口
２１ 中心開口
２２、２３、２４、２５ 縁
２６、２７、２８、２８’ 固定ツメ
２９、３０ 自由端
【図１】
0005484492.tif 000002
【図２】
0005484492.tif 000003
【図３】
0005484492.tif 000004
【図４】
0005484492.tif 000005
【図５】
0005484492.tif 000006
【図６】
0005484492.tif 000007
【図７】
0005484492.tif 000008